(57)【要約】【課題】住宅等の狭い階段室で、階段部材を部品化し、作業の効率化を図る。【解決手段】階段構築位置４３に外壁体２７、支柱２８、２９等が構築されている。支柱２８、２９と外壁体２７との間に、階段部材１、１１の接合位置・高さに合わせて、横支持材２０Ａ〜２０Ｅを架設固定する（ａ）。横支持材２０Ａ、２０Ｂ間に階段部材１１、横支持材２０Ｂ、２０Ｃ間に階段部材１、横支持材２０Ｃ、２０Ｄに階段部材１１、横支持材２０Ｄ、２０Ｅ間に階段部材１１を配置する（ｂ）。各階段部材１、１１を、上下縁を横支持材２０に架設固定して、階段４５を構築する（ｃ）。階段部材１、１１は、下縁のボルト孔と下側に位置する横支持材２０の受け孔２４、２４とを連通させ、上縁のボルト孔１０、１０と上側に位置する横支持材２０の受け孔２５、２５とを連通させて、ボルト・ナットで接合される。【選択図】図１
2005009137.tif 000002
【特許請求の範囲】
【請求項１】
外壁体で囲われた階段設置スペース内に支柱を立設して、
前記支柱と外壁体との間の所定位置に横支持材を架設し、
隣接する前記横支持材の間に、所定階段を分割して構成した複数の階段部材を夫々架設し、階段部材の上下縁を夫々両横支持材に固定したことを特徴とする住宅用階段。
【請求項２】
横支持材は、上面に上側の階段部材の下縁との接合手段を形成し、側面に下側の階段部材の上縁との接合手段を形成したことを特徴とした請求項１記載の住宅用階段。
【請求項３】
所定段数の直線状階段部材、進行方向が９０度変わる角用階段部材を組み合わせて階段部材を構成し、前記角用階段部材は、上段側と下段側を同一巾に形成した請求項１記載の住宅用階段。
【請求項４】
階段部材は、上端及び下端に巾方向に同一位置でボルト孔を形成して、横支持材は、前記ボルト孔と巾方向同一位置で接合手段を配置した請求項１又は２記載の住宅用階段。
【請求項５】
以下の工程で構築することを特徴とした住宅用階段の構築方法。
（１）  外壁体で囲われた階段設置スペース内に支柱を立設する。
（２）  前記支柱と前記外壁体との間に、階段部材を接合する平面位置で、かつ階段部材の接合高さに応じて、複数の横支持材を架設する。
（３）  隣接する前記横支持材と横支持材との間に、階段部材を配置し、該階段部材の上下縁を両横支持材に架設固定する。
【発明の詳細な説明】
【０００１】
【発明の属する技術分野】
集合住宅・戸建て住宅などの内階段に主に適用する住宅用階段及び住宅用階段の構築方法に関する。
【０００２】
【従来の技術】
メゾネットタイプの集合住宅では、内階段は比較的階段巾が狭く、壁の骨組みが完成された後に、階段を組み立てる場合が多かった。この場合、一般に階段巾が狭く（９００ｍｍ程度）、作業空間が狭いため、段板を鋼板から構成する場合には、構築現場で、１段づつ段板を溶接して階段に組み立てていた。また、予め工場で段部材と側桁とを組み立てる階段部材も提案されている（特許文献１）。
【０００３】
【特許文献１】特開平７−５４４５１号
【０００４】
【発明が解決しようとする課題】
前記従来の前者の技術では、現場で１段づつ組み立てるタイプでは、現場作業が多くなり、また狭いスペースでの作業となるため、作業効率が悪い問題点があった。また、現場溶接作業が多くなるので、溶接跡を処理し、仕上げのボードやシートを施さなければ外観上使用できない問題点があった。総じて、完成までの現場作業が多く、煩雑な作業を要していた。
【０００５】
また、従来の後者の技術では、段部材として、平面形状が矩形、三角状、扇形状などを使用できる旨の記載はあるが、一体の階段部材が想定されており、複雑な折り返しを有する階段では、広い設置作業スペースを要し、とりわけ壁を構築後に設置することが困難であった。
【０００６】
【課題を解決するための手段】
然るにこの発明では、支柱に架設した横支持材に分割した階段部材を架設して階段を構成するので、前記問題点を解決した。
【０００７】
即ちこの発明は、外壁体で囲われた階段設置スペース内に支柱を立設して、
前記支柱と外壁体との間の所定位置に横支持材を架設し、
隣接する前記横支持材の間に、所定階段を分割して構成した複数の階段部材を夫々架設し、階段部材の上下縁を夫々両横支持材に固定したことを特徴とする住宅用階段である。
【０００８】
また、前記において、横支持材は、上面に上側の階段部材の下縁との接合手段を形成し、側面に下側の階段部材の上縁との接合手段を形成したことを特徴とした住宅用階段である。また、所定段数の直線状階段部材、進行方向が９０度変わる角用階段部材を組み合わせて階段部材を構成し、前記角用階段部材は、上段側と下段側を同一巾に形成した住宅用階段である。また、階段部材は、上端及び下端に巾方向に同一位置でボルト孔を形成して、横支持材は、前記ボルト孔と巾方向同一位置で接合手段を配置した住宅用階段である。
【０００９】
また、他の発明は、以下の工程で構築することを特徴とした住宅用階段の構築方法である。
（１）  外壁体で囲われた階段設置スペース内に支柱を立設する。
（２）  前記支柱と前記外壁体との間に、階段部材を接合する平面位置で、かつ階段部材の接合高さに応じて、複数の横支持材を架設する。
（３）  隣接する前記横支持材と横支持材との間に、階段部材を配置し、該階段部材の上下縁を両横支持材に架設固定する。
【００１０】
前記における壁体は、構造壁、間仕切り壁等横支持材の一端を支えることができる壁面を有する構造であれば、任意である。従って壁体の構造も、鉄筋コンクリート系、ＡＬＣなどのコンクリート盤、鉄骨や軽量鉄骨によるフレーム状等任意である。
【００１１】
また、前記における接合手段とは、ボルトを通す貫通孔、階段部材の貫通孔に挿入できるボルト軸のような突起構造等を指す。
【００１２】
また、前記において、「住宅用」としたが、同様構造の建築スペースの代表として「住宅用」としたものであり、事務所用・工場用等、用途は問わないことは勿論である。
【００１３】
【発明の実施の形態】
階段構築位置４３で、外壁体２７、支柱２８、２９、支柱２８、２９間に内壁体３０が夫々構築されている。支柱２８、２９と外壁体２７との間に、階段巾Ｌ０の階段部材１、１１の接合位置及び接合高さに合わせて、横支持材２０Ａ〜２０Ｅを架設固定する（図１（ａ））。横支持材２０Ａ、２０Ｂとの間に角部の階段部材１１、横支持材２０Ｂ、２０Ｃとの間に直線状の階段部材１、横支持材２０Ｃ、２０Ｄの間に角用の階段部材１１、横支持材２０Ｄ、２０Ｅとの間に角用の階段部材１１を夫々配置する（図１（ｂ））。各階段部材１、１１の上下縁を横支持材２０、２０に架設固定して、階段４５の構築が完了する（図１（ｃ））。
【００１４】
この際、階段部材１、１１の下縁の接合用リブ８のボルト孔１０、１０と、上側に位置する横支持材２０の上面材２１の受け孔２４、２４とを連通させ、更に、階段部材１、１１の上縁の接合用リブ９のボルト孔１０、１０と、下側に位置する横支持材２０の側面材２３の受け孔２５、２５とを連通させて、ボルト・ナットで接合する（図６（ａ）（ｂ））。
【００１５】
【実施例１】
図面に基づきこの発明の実施例を説明する。
【００１６】
［１］各部材の構成
【００１７】
（１）  直線状の階段部材１は、屈曲した鋼板を階段状に並べ、踏板部３１及び蹴込み部３２が交互に連続した段差３段分の踏板２を形成し、踏板２の裏面４で、両端３、３から所定距離Ｌ１を離した位置に、段々状の下補強板（ささら桁）５を固着して構成する（図４（ａ）、図６（ａ））。
【００１８】
下補強板５は踏板２の裏面４に沿った上縁６形状で、上縁６から長さＬ２で下縁７を形成した階段状の形状となっている。また、踏板２の最下段の蹴込み部３２の下縁は内側に向けて横方向に屈曲して接合用リブ８を形成し、接合用リブ８にボルト孔１０、１０を穿設してある。また、踏板２の最上段の踏板部３１の上縁は下方に向けて屈曲して接合用リブ９を形成し、接合用リブ９にボルト孔１０、１０を穿設してある（図６（ａ））。また、両ボルト孔１０は、下補強板５を挟んで、両側に１個づつ計４個形成してある（図４（ａ））。
【００１９】
尚、踏板２の段数は、使用場所に応じて、所望の段数を設定する。また、階段巾Ｌ０で設定してある（図４）。
【００２０】
（２）  角部の階段部材１１は、平面略Ｌ字状で、踏板部３１及び蹴込み部３２が連続した段差２段分の踏板１３と、踏板１３の下面に固定した下補強板１５とから構成する（図４（ｂ））。
【００２１】
下補強板１５は、直線状の階段部材１と同様に、踏板１２の裏面１４に沿った上縁形状で、上縁から長さＬ以上で下縁を形成した形状となっている。更に、踏板１２を横断する位置にも配置する。また、踏板１２の外周側の縁から下補強板５の一縁を突出させて連結部１６を形成してある。連結部１６は、少なくとも１つの下補強板５で形成してあれば良い。
【００２２】
また、踏板１２の最下段の蹴込み部３２の下縁は内側に向けて横方向に屈曲して接合用リブ８を形成し、踏板１２の最上段の踏板部３１の上縁は下方に向けて屈曲して接合用リブ９を形成し、両接合用リブ８、９には夫々ボルト孔１０、１０を穿設してある（図６（ａ））。また、両ボルト孔１０、１０は、前記直線状の階段部材１と同様に、下補強板１５を挟んで、両側に１個づつ計４個形成してある（図４（ｂ））。
【００２３】
また、上側３３と下側３４とで、階段巾Ｌ０を一致させてある。また、角部の階段部材１１は、段差２段分の他、段差のない階段部材１１Ａ（図４（ｃ））、段差１段分の階段部材１１Ｂ（図４（ｄ））を用意する。
【００２４】
尚、前記における下補強板５、１５は踏板２、１２を連結する為に固定され、階段部材１、１１は、踏板の接合用リブ８、９を介して、横支持材２０に接合される。
【００２５】
（３）  横支持材２０は、自由縁にリブ２６を形成した上面材２１、下面材２２とを側面材２３で連結してなる溝形鋼からなり、所定長さＬ２（支柱と壁体とに架設できる長さ）で形成する（図５（ａ）（ｃ））。
【００２６】
前記各階段部材１、１１に穿設したボルト孔１０、１０の位置は共通しており、ボルト孔１０の位置に対応して、横支持材２０の上面材２１に受け孔（接合手段）２４、側面材２３に受け孔（接合手段）２５を夫々穿設する（図５）。受け孔２４、２５は、横方向（横支持材２０の長さＬ２方向）に長い長孔で形成されている。
【００２７】
［２］階段の構築
【００２８】
（１）  本実施例では、
横支持材２０Ａ〜２０Ｅ          ５本
段差２段の角用階段部材１１      ３台
段差３段の直線状の階段部材１    １台
を使用する。
【００２９】
（２）  階段構築位置４３で、軽量鉄骨材を枠状に組んで外壁体２７が構築されている。また、外壁体２７の平面の内側で、床に接する位置付近（最上段又は最下段の踏板付近）又は廻り階段部分の中心位置（角用の階段部材の内周側）であって、使用予定の総ての横支持材２０の内側を支持できる位置に、夫々支柱２８、２９を立設してある。支柱２８、２９は基準階の床上に立設され、支柱２８、２９間に内壁体３０が構築されている（図１（ａ））。
【００３０】
（３）  基準階の床３６の位置で、支柱２８と外壁体２７とに最下段の横支持材２０Ａを架設固定し、次階の床３８の位置で、支柱２８と外壁体２７とに最上段の横支持材２０Ｅを架設固定し、両横支持材２０Ａ、２０Ｅの間で、階段部材１、１１の接合位置に合わせて、支柱２８（２９）と外壁体２７との間に、夫々横支持材２０Ｂ、２０Ｃ、２０Ｄを架設固定する（図１（ａ））。
【００３１】
最下段の横支持材２０Ａは、基準階の床３６の高さ（レベル）に合わせており、横支持材２０Ａと横支持材２０Ｂは３段、横支持材２０Ｂと横支持材２０Ｃは４段、横支持材２０Ｃと横支持材２０Ｄは３段、横支持材２０Ｄと横支持材２０Ｅは３段づつ、夫々高さを上げて配置され、使用する階段部材１、１１の段数にに対応させてある。
【００３２】
（４）  最下段の横支持材２０Ａと横支持材２０Ｂとの間に、角部の階段部材１１を配置し（図１（ｂ））、下側の横支持材２０Ａの上面に階段部材１１の下側の接合リブ８を載せ、連通した受け孔２４、ボルト孔１０にボルトを層通してナットで固定する。また、階段部材１１の上側の接合リブ９を横支持材２０の側面に当接して、連通した受け孔２５、ボルト孔１０とに、防振ゴムをはめてナットで固定する（図６（ａ）（ｂ））。
【００３３】
同様に、直線状の階段部材１を横支持材２０Ｂ、２０Ｃに架設して（図１（ｂ）、図６（ａ））、同様にボルト・ナットで固定する。以下同様に、角用の階段部材１１、１１を取り付けて、階段４５の構築が完了する（図１（ｃ））。
【００３４】
尚、ここで、下から順に階段部材１１、１、１１を架設したが、上から順に架設することもできる。また、各横支持材２０Ａ〜２０Ｅに対して、受け孔２４、２５が独立しているので、途中の任意の部分の階段部材１、１１から取付を開始し、あるいは複数の階段部材１、１１を同時に取り付け開始することもできる。
【００３５】
（５）  続いて、各階段部材１、１１の踏板２、１２の踏板部３１及び蹴上げ部３２に夫々仕上げ板４６、４７を載置固定する（図６（ｂ））。また、階段４５の内側で、支柱２８、２９間（内壁体３０の外周）で、支柱２８、２９及び内壁体３０を隠し覆うように仕上げ壁材４１、４１を取付ける。また、階段４５の外周側で、階段４５の外周と外壁体２７との間に、外壁体２７を隠し覆うように、仕上げ壁材４０を取り付け、更に必要ならば手摺類を取り付け階段室の構築を完了する。
【００３６】
尚、本実施例によれば、階段部材１、１１を工場生産でき、現場ではボルト・ナットによる組立作業だけであるので、仕上げ板４６、４７を予め工場で取り付けた状態の階段部材１、１１を現場に搬入することもできる。また、階段部材１、１１に溶接跡等が生じない外観を形成することができるので、仕上げ板４６、４７を省略することもできる。
【００３７】
（６）  また、前記において、階段４５のレイアウトは、住居のプランに応じて、自由に変更することができる。この場合も直線状の階段部材１と角用の階段部材１１とを任意に組み合わせて、階段を構築することもできる。
【００３８】
例えば、１４段分の階段を構成する場合、段差４の直線状の階段部材１、２つの段差１の角用の階段部材１１Ｂ、段差４の直線状の階段部材１を順に組み合わせて階段４５を構成し（図２（ａ））、あるいは段差２の角用の階段部材１１、段差６の直線状の階段部材１、段差２の角用の階段部材１１を順に組合せて階段４５を構成し（図２（ｂ））、あるいは段差１の直線状の階段部材１、段差無しの角用の階段部材１１Ａ、段差６の直線状の階段部材１、段差無しの角用の階段部材１１Ａ、段差１の直線状の階段部材１を順に組み合わせて階段４５を構成する（図２（ｃ））こともできる。
【００３９】
また、同様に、段差２の直線状の階段部材１、段差無しの角用の階段部材１１Ａ、段差７の直線状の階段部材１を順に組み合わせて平面Ｌ字状に配置して、階段４５を構成することもできる（図３（ａ））。また、段差２の直線状の階段部材１、段差２の角用の階段部材１１、段差７の直線状の階段部材１を順に組み合わせて平面Ｌ字状に配置して、階段４５を構成することもできる（図３（ａ））。
【００４０】
［３］他の実施例
【００４１】
（１）  前記実施例において、横支持材２０と接合する部分で、下側の階段部材１（１１）の最上段の踏板部３１Ａと、上側の階段部材１（１１）の最下段の踏板部３１Ｂとの間で、蹴上げ高さに応じた１段分の段差Ｈを形成するように構成したが（図６（ｂ））、段差を形成しないように構成することもできる。
【００４２】
例えば、階段部材１（１１）を、接合用リブ９部分で下方に向けて、１段分の蹴上げ高さＨに応じて延長して、下垂れ部４９を形成して、下垂れ部の下端部を接合用リブ９として、同様にボルト孔１０、１０を穿設して構成する（図７（ａ））。この場合も同様に、下側の階段部材１（１１）を横支持材２０の受け孔２５、２５とボルト孔１０、１０と連通させて、ボルト・ナットで接合する（図７ｂ）。このように構成した階段部材１（１１）を下側に使用すれば、下側の階段部材１（１１）の最上段の踏板部３１Ａと、上側の階断部材１（１１）の最下段の踏板部３１Ｂとが、同一高さに配置され踏面の面積を広くできる。例えば、踊り場を形成する場合に利用できる。
【００４３】
（２）  前記実施例において、横支持材２０に溝形鋼を使用したが、所定の強度を有し、上面の受け孔２４と側面の受け孔２５を形成できれば、山形鋼（Ｌ字状）等他の形状で形成することもできる（図示していない）。
【００４４】
（３）  前記実施例において、横支持材２０に受け孔２４、２５を形成したが、接合手段として受け孔に代えて、同一位置にボルト軸（接合手段）を突設して構成することもできる（図示していない）。この場合には、ボルト軸が階段部材１、１１のボルト孔１０に挿通されるので、ボルト孔１０は、横方向の長孔で形成することが望ましい（図示していない）。
【００４５】
【発明の効果】
支柱と外壁体との間に横支持材を架設して、横支持材間に階段部材を架設固定するので、壁体が構築された後に、分割された階段部材を狭い階段設置スペースは配置して、階段の構築ができる効果がある。
【００４６】
また、横支持材の上面と側面とに接合手段を形成すれば、上側に位置する横支持材の側面に階段部材の上縁を接合し、下側に位置する横支持材の上面に階段部材の下縁を接合できるので、接合作業を簡略化して、任意位置の階段部材から施工できる効果がある。
【００４７】
また、直線状階段部材と、上下に巾が等しい角用階段部材を組み合わせて構成、あるいは巾方向の同一位置に階段部材のボルト孔、横支持材の受け手段を形成すれば、任意の階段の平面レイアウトに対応した階段構築できる。また、階段部材を少ない種類で、部品化して効率良く階段部材を構成できる。
【００４８】
従って、この発明の階段又は階段の構築方法によれば、とりわけ１住戸が複数層にわたるメゾネットタイプの集合住宅に配置される階段の構築の効率化を図ることができる効果がある。
【図面の簡単な説明】
【図１】この発明の実施例の階段の組立工程を表す平面図で、（ａ）は横支持材を架設した状態、（ｂ）は階段部材を配置した状態、（ｃ）は組立が完了した状態、を夫々表す。
【図２】（ａ）〜（ｃ）は、この発明の階段の異なる平面構造を表す平面図である。
【図３】（ａ）（ｂ）は、同じくこの発明の階段の異なる平面構造を表す平面図である。
【図４】この発明の実施に使用する階段部材で（ａ）は直線状の階段部材、（ｂ）〜（ｄ）は角用の階段部材を、夫々表す。
【図５】この発明の実施に使用する横支持材で、（ａ）は平面図、（ｂ）は正面図、（ｃ）は（ｂ）のＡ−Ａ線における断面図である。
【図６】階段部材と横支持材との接合を表す縦断面図で、（ａ）は組立前、（ｂ）は組立後、を夫々表す。
【図７】同じく他の階段部材と横支持材との接合を表す縦断面図で、組立後を夫々表す。
【符号の説明】
１    階段部材（直線状）
２    踏板
４    踏板の裏面
５    下補強板
６    下補強板の上縁
７    下補強板の下縁
８    接合用リブ（下）
９    接合用リブ（上）
１０  ボルト孔
１１  階段部材（角部用）
１２  踏板
１４  踏板の裏面
１５  下補強板
１６  下補強板の連結突出部
２０、２０Ａ〜２０Ｅ  横支持材
２１  横支持材の上面材
２２  横支持材の下面材
２３  横支持材の側面材
２４  受け孔（上面材）
２５  受け孔（側面材）
２７  外壁体
２８  支柱
２９  支柱
３０  内壁体
３１  踏板部
３２  蹴込み部
３３  階段部材の上段側
３４  階段部材の下段側
３６  基準床
３８  次階床
４０  仕上げ壁材（外周側）
４１  仕上げ壁材（内周側）
４３  階段設置スペース
４５  階段
４６  踏板部の仕上げ板
４７  蹴込み部の仕上げ板
４９  踏板の下垂れ部
【図１】
2005009137.tif 000003
【図２】
2005009137.tif 000004
【図３】
2005009137.tif 000005
【図４】
2005009137.tif 000006
【図５】
2005009137.tif 000007
【図６】
2005009137.tif 000008
【図７】
2005009137.tif 000009